(57)【要約】【課題】  尿量が少ない場合でも容易に採尿ができ、かつ尿が飛散して周囲を汚すことなく、さらに、再度計測するためには洗浄という作業が不要な尿中成分測定装置を提供すること【解決手段】  尿中の成分を計測する尿中成分測定部１０１と、尿中成分測定部１０１を手で把持するための把持部１０２と、尿から尿中成分をセンシングするセンサー部１０３と、センサー部１０３からの電気信号を尿中成分測定部１０１に伝えるための電極部１０４と、センサー部１０３及び電極部１０４が設けられ、尿を貯める受け皿部１０５と、受け皿部１０５を尿中成分測定部１０１に対して着脱自在に固定し、その際電極部１０４と尿中成分測定部１０１とを電気的に接続する固定部１０６とを備えた、尿中成分測定装置。【選択図】  図１
2006064396.tif 000002
【特許請求の範囲】
【請求項１】
尿中の成分を計測する尿中成分測定部と、
前記尿中成分測定部を手で把持するための把持部と、
尿から尿中成分をセンシングするセンサー部と、
前記センサー部からの電気信号を前記尿中成分測定部に伝えるための電極部と、
前記センサー部及び前記電極部が設けられ、尿を貯める受け皿部と、
前記受け皿部を前記尿中成分測定部に対して着脱自在に固定し、その際前記電極部と前記尿中成分測定部とを電気的に接続する固定部とを備えた、尿中成分測定装置。
【請求項２】
前記電極部の一部が前記センサー部を兼ねている、請求項１記載の尿中成分測定装置。
【請求項３】
前記尿中成分測定部と前記固定部の間に、前記尿中成分測定部よりも細い形状を有する接続部を備えた、請求項１記載の尿中成分測定装置。
【請求項４】
前記接続部は、前記尿中成分測定部と分離可能である、請求項３記載の尿中成分測定装置。
【請求項５】
前記センサー部は、前記受け皿部の内側の底面又は前記底面近傍の側面に設けられ、
前記受け皿部は、前記センサー部が設けられている部分が実質上最も低い位置になるように、前記底面に傾斜を有している、請求項１記載の尿中成分測定装置。
【請求項６】
前記受け皿部は、
採尿時に尿を排出する排尿部と、
前記採尿時に蓄尿する蓄尿部とを有する、請求項１記載の尿中成分測定装置。
【請求項７】
前記排尿部は、前記受け皿部の底面に対して所定の高さに位置している、請求項６記載の尿中成分測定装置。
【請求項８】
前記受け皿部は、
前記排尿部が実質上最も高い位置になるように、底面に傾斜を有している、請求項６記載の尿中成分測定装置。
【請求項９】
前記電極部は、前記受け皿部の外面に設けられた外面電極部及び／または内面に設けられた内面電極部を有している、請求項１記載の尿中成分測定装置
【請求項１０】
前記固定部は、前記受け皿部の縁に引っかかるように形成された突起部を更に有する、請求項１記載の尿中成分測定装置。
【請求項１１】
前記電極部は、前記受け皿部の内面に印刷され、前記受け皿部の縁部分にて外面に向かって折り返され露出した折り返し部を有し、
前記折り返し部と前記固定部が電気的に接触する、請求項１記載の尿中成分測定装置。
【請求項１２】
前記固定部は、前記電極部と電気的に接続するための固定部電極を有し、
前記固定部電極の前記電極部と接触する面が鋸状に形成されている、請求項１記載の尿中成分測定装置。
【請求項１３】
尿から尿中成分をセンシングするセンサー部と、
前記センサー部からの電気信号を尿中成分測定部に伝えるための電極部とを備え、
固定部によって、前記尿中成分測定部に対して着脱自在に固定され、前記電極部と前記尿中成分測定部が電気的に接続される尿受け皿。
【発明の詳細な説明】
【技術分野】
【０００１】
本発明は、尿糖等、尿中に存在する特定成分の濃度を測定する尿中成分測定に関するものである。特に、便座に一体化せず携帯して持ち出すのに適した尿中成分測定装置に関するものである。
【背景技術】
【０００２】
従来の携帯型の尿中成分測定装置としては、シャッターを有してそこより尿を採取し尿中成分の計測を行うものがあった（例えば、特許文献１参照）。図２１は、特許文献１に記載された従来の尿中成分測定装置を示すものである。
【０００３】
図２１において、センサー部２１０１は、尿中からその成分の検出を行う。シャッター部２１０２は、センサー部２１０１を計測時に開き尿を導き、保存時にはシャッターを閉じて収納していた。センサー部２１０１からの結果は計測器本体２１０３に送られ計測、表示が行われていた。
【特許文献１】特開２００２−２１４１８６号公報（例えば、図９）
【発明の開示】
【発明が解決しようとする課題】
【０００４】
しかしながら、前記従来の構成では、排尿時にセンサー部を尿に当たるように持って行かなければならず、尿量が少ない場合には即座に移動しなければならず計測が難しい、センサー部に当たった尿が飛散して周囲を汚す、さらに、再度計測するためには洗浄という作業が必要であるという課題を有していた。
【０００５】
上記従来の課題を考慮し、本発明の目的は、採尿が簡易であり、尿の飛散が少なく清潔に保つことができ、又は洗浄の手間を省くことが出来る尿中成分測定装置及びそれに用いる尿受け皿を提供することである。
【課題を解決するための手段】
【０００６】
上記目的を達成するために、第１の本発明は、
尿中の成分を計測する尿中成分測定部と、
前記尿中成分測定部を手で把持するための把持部と、
尿から尿中成分をセンシングするセンサー部と、
前記センサー部からの電気信号を前記尿中成分測定部に伝えるための電極部と、
前記センサー部及び前記電極部が設けられ、尿を貯める受け皿部と、
前記受け皿部を前記尿中成分測定部に対して着脱自在に固定し、その際前記電極部と前記尿中成分測定部とを電気的に接続する固定部とを備えた、尿中成分測定装置である。
【０００７】
又、第２の本発明は、
前記電極部の一部が前記センサー部を兼ねている、第１の本発明の尿中成分測定装置である。
【０００８】
又、第３の本発明は、
前記尿中成分測定部と前記固定部の間に、前記尿中成分測定部よりも細い形状を有する接続部を備えた、第１の本発明の尿中成分測定装置である。
【０００９】
又、第４の本発明は、
前記接続部は、前記尿中成分測定部と分離可能である、第３の本発明の尿中成分測定装置である。
【００１０】
又、第５の本発明は、
前記センサー部は、前記受け皿部の内側の底面又は前記底面近傍の側面に設けられ、
前記受け皿部は、前記センサー部が設けられている部分が実質上最も低い位置になるように、前記底面に傾斜を有している、第１の本発明の尿中成分測定装置である。
【００１１】
又、第６の本発明は、
前記受け皿部は、
採尿時に尿を排出する排尿部と、
前記採尿時に蓄尿する蓄尿部とを有する、第１の本発明の尿中成分測定装置である。
【００１２】
又、第７の本発明は、
前記排尿部は、前記受け皿部の底面に対して所定の高さに位置している、第６の本発明の尿中成分測定装置である。
【００１３】
又、第８の本発明は、
前記受け皿部は、
前記排尿部が実質上最も高い位置になるように、底面に傾斜を有している、第６の本発明の尿中成分測定装置である。
【００１４】
又、第９の本発明は、
前記電極部は、前記受け皿部の外面に設けられた外面電極部及び／または内面に設けられた内面電極部を有している、第１の本発明の尿中成分測定装置である。
【００１５】
又、第１０の本発明は、
前記固定部は、前記受け皿部の縁に引っかかるように形成された突起部を更に有する、第１の本発明の尿中成分測定装置である。
【００１６】
又、第１１の本発明は、
前記電極部は、前記受け皿部の内面に印刷され、前記受け皿部の縁部分にて外面に向かって折り返され露出した折り返し部を有し、
前記折り返し部と前記固定部が電気的に接触する、第１の本発明の尿中成分測定置である。
【００１７】
又、第１２の本発明は、
前記固定部は、前記電極部と電気的に接続するための固定部側電極を有し、
前記固定部側電極の前記電極部と接触する面が鋸状に形成されている、第１の本発明の尿中成分測定装置である。
【００１８】
又、第１３の本発明は、
尿から尿中成分をセンシングするセンサー部と、
前記センサー部からの電気信号を尿中成分測定部に伝えるための電極部とを備え、
固定部によって、前記尿中成分測定部に対して着脱自在に固定され、前記電極部と前記尿中成分測定部が電気的に接続される尿受け皿である。
【発明の効果】
【００１９】
本発明によれば、採尿が簡易であり、尿の飛散が少なく清潔に保つことができ、又は洗浄の手間を省くことが出来る尿中成分測定装置及びそれに用いる尿受け皿を提供することができる。
【発明を実施するための最良の形態】
【００２０】
以下、本発明の実施の形態について、図面を参照しながら説明する。
【００２１】
（実施の形態１）
図１は、本発明の実施の形態１における尿中成分測定装置の外観図である。
【００２２】
図１において、尿中成分測定部１０１は、尿中に含まれる成分を検出する測定装置であり、把持部１０２をその一部に設置し手に持ちやすい形状となっている。センサー部１０３は、尿中の成分（例えば、塩分、尿糖度、蛋白、脂質等）をセンシングし、尿中成分測定部１０１に流す電気信号を発生する。また、センサー部１０３からの電気信号を伝達する電極１０４と接続されている。電極１０４は、尿を受け止めるための本発明の尿受け皿の一例である受け皿部１０５の内面もしくは外面に印刷等の手法により配置されており、金属などの材料を用いる事により通電可能な構成である。
【００２３】
又、固定部１０６は、電極１０４によって伝達されるセンサー部１０３からの情報を電極１０４と接触する事により、尿中成分測定部１０１に伝達し、かつ、受け皿部１０５を挟み込むことにより固定することができる。受け皿部１０５は、固定部１０６により固定され、落下しないためにも、軽量な紙等の材料で構成され、採尿を容易にするのに十分広い開口部を持ち合わせている。
【００２４】
また、図２は、固定部の制御方法の説明図であり、固定部１０６は、内側固定部２０１と外側固定部２０３からなり、それらを金属バネ２０２で接続することにより、バネの力で受け皿部１０５を掴むことができる。
【００２５】
また、外側固定部２０３は、尿中成分測定部１０１と接着等の手法により外れないように接続されており、内側固定部２０１は、尿中成分測定部１０１に設置されたスライドスイッチ部２０８とワイヤ２０５で接続されており、スライドスイッチ部２０８を固定部１０６と逆の方向に引っ張ることにより内側固定部２０１を外側固定部２０３から離し、受け皿部１０５を解放することができる。
【００２６】
また、図３は、受け皿部１０５の断面図であり、受け皿部の内面と外面に電極を配置した図面である。図４は、受け皿部の外観図である。
【００２７】
図３、図４において、受け皿部１０５は、尿を受け取りやすくするための大きな開口部をもち、また、受け皿部１０５自身の重量を軽く、かつ絶縁をとるために紙等の材質から構成されている。電極１０４は、内面電極３０３と外面電極３０４とから構成され、受け皿部の内面、もしくは、外面の一部もしくは全面に配置される。
【００２８】
図３に示す様に、１０３は、センサー部であり、受け皿部内部に溜まった尿より尿成分を検出する機能を有している。また、そのセンサーの表面・裏面より出力端子３０５、３０６が出ており、一方を内面電極３０３、もう一方を外面電極３０４と接続することにより、センサーからの出力を受け皿部１０５の内面、外面に分離することが可能となる。
【００２９】
尚、例えば、塩分を測定する場合には、尿の導電率を測定するためセンサー部１０３として内面用電極板及び外面用電極板を設けてもよい。この場合、内面用電極板から内面電極３０３へ、外面用電極板から外面電極３０４へと出力が出ており、電極板間の尿の導電率を測定することが出来る。
【００３０】
又、尿糖度を測定する場合には、センサー部１０３として糖分を測定する酵素膜を備え、この酵素膜を保存液に浸しておく必要がある。そのため、図５に示す様に、尿中成分測定部１０１若しくは把持部１０２内に保存液タンクと、保存液タンクからセンサー部１０３へと保存液を供給する配管５０１とが設置されている。
【００３１】
図６は、尿中成分測定装置の固定部１０６と受け皿部１０５の電気接続を説明するための断面図である。
【００３２】
図６において、固定部１０６は、金属バネ２０２により一定の力で、受け皿部１０５を挟み込んで固定し、かつ、計測終了後は、簡便に受け皿部１０５を固定部１０６から外すことができる構造である。
【００３３】
電極１０４は、内面電極３０３と外面電極３０４から構成され、それぞれ、固定部に設置された内側固定部電極６０３と外側固定部電極６０５と接触することにより電気的信号を通信することができる。
【００３４】
かかる構成によれば、受け皿部１０５に入ってきた尿からセンサーにより計測されたデータを内面電極３０３より内側固定部電極６０３へ、外面電極３０４より外側固定部電極６０５へそれぞれ通電することにより、信号を伝達することができると同時に、受け皿部１０５を固定することが可能となる。
【００３５】
なお、電極部分は受け皿部１０５の対面（外側及び内側）に配置したが、同一平面上でも構わない。
【００３６】
なお、受け皿部１０５の固定には、金属バネ２０２を用いたが、受け皿部１０５を固定できる方式であれば、その材質は問わない。
【００３７】
また、内側固定部電極６０３と外側固定部電極６０５は、電気的コンタクトを十分にとるために、内面電極３０３と外面電極３０４に比べて十分広いことが望ましい。
【００３８】
また、採尿後、計測が済んだ後は、受け皿部１０５に残っている尿は、トイレなどの上で逆さにする事により廃棄し、次に、スライドスイッチ部２０８をスライドさせる事により、内側固定部２０１と外側固定部２０３の隙間を広げて、受け皿部１０５を外すことができ、尿に触ることなく受け皿部１０５を廃棄する事ができる。
【００３９】
かかる構成によれば、受け皿部１０５は、採尿に十分な開口部をもつため容易に採尿が可能となり、そして、把持部１０２と受け皿部１０５との距離を十分にとることにより、尿が手にかかる等の衛生的な問題をクリアすることができる。
【００４０】
なお、本実施の形態１において、固定部１０６と尿中成分測定部１０１を直接接続しているが、尿中成分測定部１０１に尿がかからないために、その間に、接続部１０７を介しても構わない。この場合の尿中成分測定装置の構成図を図７に示す。
【００４１】
さらに、接続部１０７は、図８に示されるような仕組みを組み込み、分離可能な構造とすることにより、接続部１０７自身を素手で触ることなく、取り外すことができ、接続部の洗浄を簡易に行うことができる事が望ましい。
【００４２】
ここで、図８は、尿中成分測定部１０１と接続部１０７との接続関係の一例を説明する断面図である。尿中成分測定部１０１は、接続部１０７を差し込み入れることが可能な凹部分を持っている。その凹部分には、例えばバネのような弾性体８０３が内蔵されており、弾性体８０３の反発力を接続部１０７全面に伝えるための伝搬部８０４が接続されている。接続部１０７は、その途中に凹部を有し、そこに固定ピン８０５を入れることにより尿中成分測定部１０１と接続部１０７を固定させることができる。
【００４３】
又、接続部１０７を取り付ける時は、尿中成分測定部１０１の凹部に接続部を差し入れ、弾性体を縮めた状態で固定ピン８０５を接続部１０７の凹部に差し入れて固定する。取り外す時は、固定ピン８０５を抜く事により、弾性体８０３の反発力を用いて、接続部１０７に触れることなく取り外すことが可能となる。
【００４４】
上記構成の場合は、電極３０３、３０４からの信号を測定部に送るために、接続部１０７内又は外に配線を備える必要がある。そして、接続部１０７と尿中成分測定部１０１間の電気接続は、例えば図８に示す様に、接続部１０７が尿中成分測定部１０１に挿入された際に、電気的に接続されるような電気接続部８０６を介して行えばよい。
【００４５】
また、図９は、尿中成分測定部１０１と接続部１０７の立体図である。接続部１０７には、尿がかかる可能性が高く、その尿等が、接続部１０７を伝わって、尿中成分測定部１０１に届かないように返し部９０３が取り付けられている。
【００４６】
また、接続部１０７は、男性の採尿時には、利き腕と逆方向の手を使って尿中成分測定部１０１を把持するので、重さを減らすために、その形状は、尿中成分測定部１０１よりも細い事が望ましい。
【００４７】
尚、本発明の電極部の一例は、本実施の形態１では内面電極３０３、外面電極３０４、出力端子３０５、３０６に相当する。又、本発明の内面電極部の一例は、本実施の形態１では内面電極３０３及び出力端子３０５に相当し、本発明の外面電極部の一例は、外面電極３０４及び出力端子３０６に相当する。しかしながら、本構成に限る必要はなく、要するに、センサー部１０３の信号を固定部１０６の電極へと伝えることが出来さえすればよい。
【００４８】
又、本実施の形態１では、図４に示す様に内面電極３０３及び外面電極３０４は受け皿部１０５の内周及び外周を一周するように設けられているが、内側固定部電極６０３及び外側固定部電極６０５と電気的に接続するための大きさがあれば一部分に設けられていても良い。
【００４９】
又、図１０の受け皿部１０５の側面図に示す様に、底面に向かって実質上垂直方向に外面電極１００４及び内面電極１００３をセンサー部１０３方向へ伸ばして、出力端子１００５、１００６を短くしても良い。尚、内面電極１００３及び出力端子１００５は絶縁するために被覆を施しておいた方が好ましい。又、出力端子１００５、１００６を設けずに、電極上に直接センサー部を設けても良い。
【００５０】
又、本実施の形態１では受け皿部１０５は、円柱形状であるが、図１１に示す様に、その底面に傾斜部１１０２を設け、更に、その最下部近傍（側面又は底面）にセンサー部１０３を設けることによって、尿量が少ない場合にも適用することが可能となる。なお、このような構成が、本発明のセンサー部が設けられている部分が実質上最も低い位置になるように底面に傾斜を有している受け皿部の一例に相当する。又、受け皿部は円錐形状であってもよい。
（実施の形態２）
図１２は、本発明の実施の形態２における尿中成分測定装置の受け皿部の外観図である。
【００５１】
図１２において、受け皿部１２０１は、尿を受け取りやすくするための大きな開口部をもち、また、受け皿部１２０１自身の重量を軽くするために紙等の材質から構成されている。排尿部１２０２は、受け皿部１２０１の底面に配置され、尿が受け皿部１２０１に全て溜まらず、尿の一部が受け皿部１２０１の外に流れ出すような構造をしている。排尿部１２０２は、底面から所定の高さに配置されているため排尿部１２０２の周囲には蓄尿部１２０３が形成され、尿を全て受け皿部１１０１から流れ出すことを防ぐ構造をしている。
【００５２】
かかる構成によれば、受け皿部１２０１に入ってきた尿は、量の多少に関わらず一定量以下となり、その結果、受け皿部１２０１ならびに尿の総重量がある一定値を超えることなく、重すぎたために誤って落下することを防ぐことができる。
【００５３】
また、排尿部１２０２をある一定の高さを保持することにより、尿全体を流し出さず尿計測に必要な量・時間の間、蓄尿を行うことが可能となる。
【００５４】
（実施の形態３）
図１３は、本発明の実施の形態３における尿中成分測定装置の受け皿部の外観図である。
【００５５】
図１３において、受け皿部１３０１は、尿を受け取りやすくするための大きな開口部をもち、また、受け皿部１３０１自身の重量を軽くするために紙等の材質から構成されている。
【００５６】
又、排尿部１３０２は、受け皿部１３０１の底面から一定の高さの位置に配置され、尿が受け皿部１３０１に全て溜まらず、尿の一部が受け皿部１３０１の外に流れ出すような構造をしている。傾斜部１３０３は、排尿部１３０２の開口部と受け皿部１３０１の底面に設けられた傾斜である。排尿部１３０２は、一定の高さにすることにより、傾斜部１３０３と受け皿部１３０１の側面の間に蓄尿部１３０４を形成し、尿を全て受け皿部１３０１から流れ出すことを防ぐ構造をしている。
【００５７】
かかる構成によれば、受け皿部１３０１に入ってきた尿は、量の大小に関わらず一定量以下となり、その結果、受け皿部１３０１ならびに尿の総重量がある一定値を超えることなく、重すぎたために誤って落下することを防ぐことができる。更に、傾斜部１３０３があることにより、尿量が十分に確保できなかった場合でも、受け皿部１３０１の底面の周辺部分に尿を集めることが可能となり、底面全体に尿が広がらずセンサーの設置されている場所に適切な量を接触させることが可能となる。
【００５８】
なお、本実施の形態３において、排尿部１３０２以外の受け皿部１３０１の底面を全て傾斜部１３０３で構成しているが、底面の周辺部分では一部平面状であっても構わない。
【００５９】
（実施の形態４）
図１４は、本発明の実施の形態４における尿中成分測定装置の固定部の断面図である。
【００６０】
図１４において、固定部１４０１は、金属バネ１４０２により一定の力で、受け皿部１４０７を挟み込んで固定し、かつ、計測終了後は、簡便に受け皿部１４０７を固定部１４０１から外すことができる構造である。
【００６１】
電極部は、内面電極１４０４と外面電極１４０６とから構成され、それぞれ、固定部に設置された内側固定部電極１４０３と外側固定部電極１４０５と接触することにより電気的信号を通信することができる。
【００６２】
カール部１４０８は、受け皿部１４０７の端を処理したもので、カール状に巻かれている。突起部１４０９は、固定部１４０１に接続され、カール部１４０８に、引っかかるように構成されている。
【００６３】
かかる構成によれば、受け皿部１４０７に入ってきた尿からセンサーにより計測されたデータを内面電極１４０４より内側固定部電極１４０３へ、外面電極１４０６より外側固定部電極１４０５へそれぞれ通電することにより、信号を伝達することができると同時に、受け皿部１４０７は、そのカール部１４０８に突起部１４０９が引っかかることにより、強固に固定される。
【００６４】
（実施の形態５）
図１５は、本発明の実施の形態５における尿中成分測定装置の固定部の一部拡大断面図である。
【００６５】
図１５において、固定部１５０１は、受け皿部１５０７上に配置された受け皿部電極１５０６と電気的結合を行うと同時に滑り落ちないように表面を鋸状にした固定部電極１５０５をもつ構造である。
【００６６】
かかる構成によれば、受け皿部１５０７に入ってきた尿からセンサーにより計測されたデータを、受け皿部電極１５０６を通じ固定部電極１５０５へ通電する際、金属部分が滑り易いことから、表面を鋸状にしていることにより、信号を伝達することができると同時に、受け皿部１５０７が滑り落ちないように強固に固定することが可能となる。
【００６７】
（実施の形態６）
図１６は、本発明の実施の形態６における尿中成分測定装置の固定部の断面図である。
【００６８】
図１６において、固定部１６０１は、受け皿部１６０５上の内面に配置された受け皿部電極１６０３と電気的結合を行う固定部電極１６０４を有している。又、受け皿部１６０５の端を処理した本発明の折り返し部の一例であるカール部１６０２に下側から引っかかるようになった突起部１６０６と、固定部電極１６０４の上部から受け皿部１６０５の内側面に沿うようにかぎ状に形成されているかぎ状部１６０７とを有している。
【００６９】
図１７は受け皿部１６０５の展開図を示した図である。
【００７０】
図１７にあるように、受け皿部１６０５は、例えば、円柱構造の場合、その側面部１７０１と底面部１７０２から構成されているが、上端から下端にかけて側面部１７０１の片側のみに印刷により、２つの受け皿部電極１７０３及び１７０４を作成し、受け皿部電極１６０３を形成させることができる。印刷後、側面部１７０１を巻いて、底面部１７０２を固定することにより円柱構造の受け皿部を廉価で作成することができる。又、底面部１７０２と反対側に位置する側面部１７０１の端部分がカール部１６０２に相当する。
【００７１】
また、図１８に加工後の受け皿部の断面図を示す。図１８に示す様に底面部１７０２の反対側に位置する側面部１７０１の端面を外側に折り曲げてカール上に加工することによりカール部１６０２が形成される。その時に、受け皿部電極１６０３は、内側から曲げられるため、受け皿部１６０５の外側に受け皿部電極１６０３の端部分が位置する。この受け皿部電極１６０３の端部分１６０３ａが、固定部電極１６０４と接する部分となる。
【００７２】
かかる構成によれば、受け皿部１６０５に入ってきた尿からセンサーにより計測されたデータを、受け皿部電極１６０３を通じ固定部電極１６０４へ伝送する際、受け皿部１６０５は、内面のみに印刷された受け皿部電極１６０３がカール部１６０２により外側にむき出しとなることにより、受け皿部１６０５を固定すると同時に電気的コンタクトもとることが可能となる。
【００７３】
又、突起部１６０６とかぎ状部１６０７との間に、カール部１６０２を嵌め込むことによって、受け皿部１６０５を固定出来、又カール部１６０２を抜くことによって取り外すことが出来る。
【００７４】
尚、尿糖度、蛋白、脂質等を測定する際には、実施の形態１と同様にセンサー部を底面近傍に備える必要がある。この場合、図１５のカール部１６０２以外の受け皿部電極１６０３は絶縁処理をする必要が有る。
【００７５】
又、尿中の塩分を測定する場合、すなわち尿の電導度を測定する場合には、受け皿部電極１６０３の、電極１７０３、１７０４の底面側の端部分１７０５（図１７の点線部分）を実施の形態１で説明した電極板として用いる。そのため、電極１７０３、１７０４の底面側の端部分１７０５と端部分１６０３ａ以外の部分を絶縁処理する必要がある。尚、本発明のセンサー部と兼ねている電極部の一部は、例えば本実施の形態６では端部分１７０５に相当する。
【００７６】
また、電極部分を紙等の材料の上に印刷する場合、片面のみの印刷で行うことが可能となり安価に受け皿部１６０５を作成することができる。
【００７７】
尚、受け皿部１６０５の固定をより強固にするためには、図１９に示す様に、受け皿部１９０５の底面に向かって長くしたかぎ状部１９０１を用いればよい。この場合、受け皿部１９０５の取り外しが行いにくいため、図２０に示す様に切り欠き部２０００を設け、受け皿部１９０５の固定及び取り外しの際には、かぎ状部１９０１を切り欠き部２０００に通した後に、横にスライドさせることによってスムーズな受け皿部１９０５の固定及び取り外しが可能となる。
【００７８】
以上述べたように、本発明の尿成分測定装置は、受け皿部とセンサー部を一体化した尿中成分装置において、受け皿部を尿中成分測定部に固定し、採尿を行う。また、尿計測後は、固定部から受け皿部を分離し受け皿部のみ捨てることができる。
【００７９】
又、受け皿で尿を簡単に捉えることができ、かつ、測定部には尿がかからず清潔に保ち、再測定時にも洗浄の手間をなくすことができる。
【産業上の利用可能性】
【００８０】
本発明の尿受け皿によれば、採尿が簡易であり、尿の飛散が少なく清潔に保つことができ、又は洗浄の手間を省くことが出来る効果を有し、尿中成分測定装置等として有用である。
【図面の簡単な説明】
【００８１】
【図１】本発明の実施の形態１における尿中成分測定装置の外観図
【図２】本発明の実施の形態１における尿中成分測定装置の固定部の制御方法を説明するための要部断面図
【図３】本発明の実施の形態１における尿中成分測定装置の受け皿部の断面図
【図４】本発明の実施の形態１における尿中成分測定装置の受け皿部の外観図
【図５】本発明の実施の形態１における尿中成分測定装置の受け皿部の変形例の断面図
【図６】本発明の実施の形態１における尿中成分測定装置の受け皿部及び固定部の断面図
【図７】本発明の実施の形態１における尿中成分測定装置の変形例の外観図
【図８】本発明の実施の形態１における尿中成分測定装置の変形例の接続部と尿中成分測定部との接続関係を説明する断面図
【図９】本発明の実施の形態１における尿中成分測定装置の変形例の尿中成分測定部と接続部の立体図
【図１０】本発明の実施の形態１における尿中成分測定装置の受け皿部の変形例の断面図
【図１１】本発明の実施の形態１における尿中成分測定装置の受け皿部の変形例の断面図
【図１２】本発明の実施の形態２における尿中成分測定装置の受け皿部の外観図
【図１３】本発明の実施の形態３における尿中成分測定装置の受け皿部の外観図
【図１４】本発明の実施の形態４における尿中成分測定装置の固定部の断面図
【図１５】本発明の実施の形態５における尿中成分測定装置の固定部の一部拡大断面図
【図１６】本発明の実施の形態６における尿中成分測定装置の固定部及び受け皿部の断面図
【図１７】本発明の実施の形態６における尿中成分測定装置の加工前の受け皿部の展開図
【図１８】本発明の実施の形態６における尿中成分測定装置の加工後の受け皿部の断面図
【図１９】本発明の実施の形態６における尿中成分測定装置の固定部及び受け皿部の変形例の断面図
【図２０】本発明の実施の形態６における尿中成分測定装置の受け皿部の変形例の断面図
【図２１】従来の携帯型尿中成分測定装置の外観説明図
【符号の説明】
【００８２】
１０１  尿中成分測定部
１０２  把持部
１０３  センサー部
１０４  電極部
１０５  受け皿部
１０６  固定部
１０７  接続部
２０１  内側固定部
２０２  金属バネ
２０３  外側固定部
２０８  スライドスイッチ部
３０３  内面電極
３０４  外面電極
３０５、３０６出力端子
６０３  内側固定部電極
６０５  外側固定部電極
８０３  弾性体
８０４  伝搬部
８０５  固定ピン
８０６  電気接続部
９０３  返し部
１００３  内面電極
１００４  外面電極
１００５、１００６出力端子
【図１】
2006064396.tif 000003
【図２】
2006064396.tif 000004
【図３】
2006064396.tif 000005
【図４】
2006064396.tif 000006
【図５】
2006064396.tif 000007
【図６】
2006064396.tif 000008
【図７】
2006064396.tif 000009
【図８】
2006064396.tif 000010
【図９】
2006064396.tif 000011
【図１０】
2006064396.tif 000012
【図１１】
2006064396.tif 000013
【図１２】
2006064396.tif 000014
【図１３】
2006064396.tif 000015
【図１４】
2006064396.tif 000016
【図１５】
2006064396.tif 000017
【図１６】
2006064396.tif 000018
【図１７】
2006064396.tif 000019
【図１８】
2006064396.tif 000020
【図１９】
2006064396.tif 000021
【図２０】
2006064396.tif 000022
【図２１】
2006064396.tif 000023